(57)【要約】【課題】  従来の無線機の無線部では、複数の周波数の信号を伝送する伝送路が同じであるため電子アッテネータで各周波数毎の利得を設定利得へ調整する際に困難であった。  また、試験等である特定の周波数の信号のみを一時的に利得を変更し、利得変更した後に再度設定利得へ戻す場合に困難であった。【解決手段】  複数の異なる周波数の信号を分離する分離手段と、前記分離手段により各周波数の信号毎に分離した後に各周波数の信号の利得を変更可能とする複数の利得可変手段と、前記複数の利得可変手段を制御する第１の電圧制御手段と第２の電圧制御手段とを備え、前記第１の電圧制御手段と第２の電圧制御手段を制御することで所望の利得に調整することが可能であることを特徴とする無線機を提供する。【選択図】図１(a)
2005117300.tif 000002
【特許請求の範囲】
【請求項１】
複数の異なる周波数の信号を分離する分離手段と、前記分離手段により各周波数の信号毎に分離した後に各周波数の信号の利得を変更可能とする複数の利得可変手段と、前記複数の利得可変手段を制御する少なくとも１つの電圧制御手段とを備えたことを特徴とする無線機。
【発明の詳細な説明】
【技術分野】
【０００１】
本発明は、無線機の無線部の利得調整に関するものである。
【背景技術】
【０００２】
ここでは、３つの周波数の信号である周波数F１の信号、周波数F２の信号、周波数F３の信号が入力として高周波入力部へ入ってきた場合の各周波数の設定利得への調整に関して従来技術の説明を行っていく。
従来の無線機の無線部の構成を図４(a)及び図４(b)に示す。まず、図の４(a)について説明を行っていく。図４(a)は、高周波入力部１、高周波増幅器２A、２B、電子アッテネータ３、制御電圧部４、高周波出力部５で構成されている。
３つの周波数の信号である周波数F１の信号、周波数F２の信号、周波数F３の信号が入力として高周波入力部へ入ってくると、高周波増幅器２Aによって高周波入力部１へ入ってきた３つの周波数の信号が増幅される。増幅された後、各周波数の信号は電子アッテネータ３により、各周波数毎に予め設定されている利得に調整される。図４(a)では、高周波入力部へ入力された周波数F１の利得をGF１、周波数F２の利得をGF２、周波数F３の利得をGF３とし、各周波数毎の電子アッテネータで調整する設定利得を周波数F１はG１、周波数F２はG２、周波数F３はG３としている。電子アッテネータ３により各周波数の信号の利得を調整する際は、電子アッテネータの電力の制御を行う電力制御部４を制御することで各周波数毎に設定利得へ調整をする。次に、電子アッテネータ３で設定利得へ調整された各周波数の信号は、高周波数増幅器２Bにより増幅され、高周波出力部５へ出力される。以上が、従来の無線機の無線部の構成及び、無線部での処理の流れである。
また、図４(b)に示している無線機の無線部の構成は、図４(a)の電子アッテネータ３を可変利得増幅器へ置き換えて実現したものである。図４(b)の処理の流れは図４(a)に示した無線部の処理の流れと同じである。
【発明の開示】
【発明が解決しようとする課題】
【０００３】
しかし従来の無線機の無線部では、図４(a)に示すように、複数の周波数の信号を伝送する伝送路が同じであるため電子アッテネータ３で各周波数毎の利得を設定利得へ調整する際に困難であった。例えば、高周波入力部へ入力された周波数F１の利得GF１を電子アッテネータにより設定利得へ利得調整しGF１＝G１に調整した時に、周波数F２の利得GF２は周波数F２の利得設定値G２よりも大きく、周波数帯F３の利得GF３は周波数帯F３の利得設定値G３よりも小さくなり、各周波数毎に設定利得へ調整するが困難である。
また、試験等である特定の周波数の信号のみを一時的に利得を変更し、利得変更した後に再度設定利得へ戻す場合に困難であった。
図４(b)の従来の無線機の無線部においても、図４(a)の無線機と同様に同じ問題点がある。
【課題を解決するための手段】
【０００４】
上記問題点を解決するために本発明では、複数の異なる周波数の信号を分離する分離手段と、前記分離手段により各周波数の信号毎に分離した後に各周波数の信号の利得を変更可能とする複数の利得可変手段と、前記複数の利得可変手段を制御する少なくとも１つの電圧制御手段とを備えたことを特徴とする無線機を提供する。
【発明の効果】
【０００５】
本発明は、異なる幾つかの周波数を伝送する無線機の無線部において、各周波数に対応した電子アッテネータ又は、可変利得増幅器により各周波数毎に設定されている設定利得へ調整を行う機能を備えることにより、各周波数毎に正確に利得設定を行うことを可能にすることができる。
また、各周波数毎に利得設定した後、一時的に利得を増減させたい場合は、制御電圧を調整できるセンタークリック付きの可変抵抗器を使用することで利得を調整することができる。利得を予め設定した値に戻す場合には、クリック感のある所までセンタークリック付きの調整器を戻すことで利得を予め設定した値に変更することを可能にする。
【発明を実施するための最良の形態】
【０００６】
ここでは、従来の技術で説明したように、３つの周波数の信号である周波数F１の信号、周波数F２の信号、周波数F３の信号が入力として高周波入力部へ入ってきた場合の各周波数の設定利得への調整に関して説明を行っていく。
【実施例１】
【０００７】
本発明の第１の実施例を図１(a)によって説明する。本発明の第１の実施例での無線機の無線部の構成を示す図である。図１(a)は、高周波入力１、高周波増幅器２A、２B、分配器１１、３つの電子アッテネータ３A、３B、３C、電圧制御部４A、ローパスフィルタ６A、バンドパスフィルタ６B、ハイパスフィルタ６C、合成器１２、高周波出力５で構成されている。本実施例では、周波数F１の信号、周波数F２の信号、周波数F３の信号の３つの周波数の信号が入力として高周波入力１へ入ってくると、高周波増幅器２Aにより各周波数の信号を増幅する。高周波増幅器２Aにより増幅された信号は、分配器１１を介して各フィルタへ信号が送られ、ローパスフィルタ６A、バンドパスフィルタ６B、ハイパスフィルタ６Cにより各周波数毎に分離される。各フィルタにより分離された各周波数の信号は、各周波数に対応した各電子アッテネータにより設定利得へ調整される。ここで、高周波入力部１へ入ってきた周波数F１の利得をGF１、各電子アッテネータにより調整する周波数２の利得をGF２、周波数３の利得をGF３とし、各周波数の各設定利得を周波数F１はG１、周波数F２はG２、周波数F３はG３とする。また、各周波数に対応する電子アッテネータを、周波数F１は電子アッテネータ３A、周波数F２は電子アッテネータ３B、周波数F３は電子アッテネータ３Cとする。
次に、各フィルタにより分離された周波数F１の信号、周波数F２の信号、周波数F３の信号は各周波数の設定利得になるよう各電子アッテネータで調整する。各電子アッテネータで各周波数の設定利得に調整する場合は、各電子アッテネータの電圧を各々制御する電圧制御部４Aで制御することで利得の調整を行う。ここで、電圧制御部４Aは可変抵抗器又は、D/Aコンバータで構成されており電圧の制御を行う。
次に、各周波数の信号は各電子アッテネータで利得調整された後に、周波数F１はローパスフィルタ６A、周波数F２はバンドパスフィルタ６B、周波数F３はハイパスフィルタ６Cへ通され、フィルタ通過後に各周波数の信号は合成器１２により合成され、合成器１２で合成された各周波数の信号は、高周波増幅器２Bで増幅され高周波出力部５へ出力される。
図１(b)は図１(a)の各電子アッテネータを、可変利得増幅器に置き換えて実現したものであり、図１(a)と同じ処理を行わせることができる。
【０００８】
図１(a)では各周波数毎に信号の分離を行い、各周波数の信号毎に電子アッテネータにより設定利得への調整をする調整部を設けているため、電圧制御部４Aにより各電子アッテネータの電圧を制御することで、各周波数の信号を各設定利得へ調整可能にすることができる。
また図１(b)においても、図１(a)と同じ処理、同じ効果を得ることが可能となる。
【実施例２】
【０００９】
ここでは、３つの周波数の信号である周波数F１の信号、周波数F２の信号、周波数F３の信号が入力として高周波入力部へ入ってきた場合の各周波数の設定利得への調整に関して説明を行っていく。また、各周波数の信号を設定利得へ調整した後に、周波数F３の利得のみ一時的に変更を行い、再び周波数F３の利得を設定利得へ戻す場合に関して説明を行っていく。
本発明の第２の実施例を図２(a1)に示す。図２(a1)は、高周波入力１、高周波増幅器２A、２B、分配器１１、電子アッテネータ３A、３B、３C、電圧制御加算部４B、第１の電圧制御部４Cと第２の制御電圧部４D、ローパスフィルタ６A、バンドパスフィルタ６B、ハイパスフィルタ６C、合成器１２、高周波出力５で構成されている。本実施例では、周波数F１の信号、周波数F２の信号、周波数F３の信号の３つの周波数の信号が入力として高周波入力１へ入ってくると、高周波増幅器２Aにより各周波数の信号を増幅する。高周波増幅器２Aにより増幅された信号は、分配器１１を介して各フィルタへ信号が送られ、ローパスフィルタ６A、バンドパスフィルタ６B、ハイパスフィルタ６Cにより各周波数毎に分離される。各フィルタにより分離された各周波数の信号は、各周波数に対応した各電子アッテネータにより設定利得へ調整される。ここで、高周波入力部１へ入ってきた周波数F１の利得をGF１、周波数２の利得をGF２、周波数３の利得をGF３とし、各周波数の各設定利得を周波数F１はG１、周波数F２はG２、周波数F３はG３とする。また、各周波数に対応する電子アッテネータを、周波数F１は電子アッテネータ３A、周波数F２は電子アッテネータ３B、周波数F３は電子アッテネータ３Cとする。
次に、各フィルタにより分離された周波数F１の信号、周波数F２の信号、周波数F３の信号は各周波数の設定利得になるよう各電子アッテネータで調整する。各電子アッテネータで各周波数の設定利得に調整する場合は、各電子アッテネータの電圧を電圧制御加算部４Bで制御することで利得の調整を行う。ここで電圧制御加算部４Bは、第１の電圧制御部４Cと第２の電圧制御部４Dの電圧を加算し、加算した電圧により各電子アッテネータの電圧を制御し各電子アッテネータを制御する。第１の電圧制御部４Cは、可変抵抗器又は、D/Aコンバータにより構成され電圧の制御を行う。第２の電圧制御部４Dは、センタークリック付きの可変抵抗器により制御を行う。この実施例で用いるセンタークリック付きの可変抵抗器は、予め設定されている初期値の位置、すなわちセンター位置でクリック感があるようになっており、その他の場所ではクリック感はない。
次に、各電子アッテネータの電圧を制御する場合は、第２の電圧制御部４Dは予め設定されている初期値の状態、すなわちセンター位置でクリック感がある状態で固定されている。このときの第２の電圧制御部の電圧をV２とする。第２の電圧制御部４Dの電圧は初期値の状態で固定されているため、電圧制御加算部４Bには固定の電圧値V２が入力されることになる。このため各周波数の信号の利得を設定利得に調整する場合には、主として第１の電圧制御部４Cで電圧を制御することとなる。第１の電圧制御部４Cの制御電圧をV１とする。電圧制御加算部４Bでは、第１の電圧制御部４C及び第２の電圧制御部４Dの入力電圧を加算し、加算した電圧値を基に各電子アッテネータを各電圧値にて制御し調整する。第１の電圧制御部４Cの電圧と第２の電圧制御部の電圧を加算した後の電圧をVAとする。
次に、各周波数の信号は各電子アッテネータで利得調整された後に、周波数F１はローパスフィルタ６A、周波数F２はバンドパスフィルタ６B、周波数F３はハイパスフィルタ６Cへ通され、フィルタ通過後に各周波数の信号は合成器１２により合成され、合成器１２で合成された各周波数の信号は、高周波増幅器２Bで増幅され高周波出力部５へ出力される。
【００１０】
次に、周波数帯F３の利得を一時的に変更し、再び利得を設定利得に戻す場合に関して説明を行っていく。この実施例では、第１の電圧制御部４C、第２の電圧制御部４D、電圧制御加算部４Bを無線部の構成として備えることで、一時的に特定の周波数の利得を変更し、再び利得を設定利得へ戻す処理を実現する。ここでは、図２(a2)を用いて説明を行っていく。
上記で説明したように、周波数帯F３の利得GF３を設定利得G３に設定後、一時的に利得を増減したい場合、仮に周波数F３の設定利得G３をαだけ増減させたい場合は、先ほど調整を行った第１の制御電圧部４Cの電圧値V１は固定とし、第２の電圧制御部４DをV２±α１に調整することで調整をおこない、電圧制御加算部４Bの電圧をVA±αAとすることで、周波数F３の利得を設定利得G３からαだけ増減させることができる。最終的に周波数F３の利得を設定利得G３に戻したい時には、第２の電圧制御部４Dをクリック感のあるところまで、すなわちセンター位置まで戻すことによって第２の電圧制御部４Dは初期値であるV２に戻り、第１の電圧制御部４CはV１から不変であるため、電子アッテネータを調整する制御電圧加算部４Bの制御電圧はVAに戻ることによって、利得も周波数F３の設定利得G３に戻る。第２の実施例は、各周波数の利得を設定利得に調整後に、各周波数の利得を個別に増減させたい時に有効である。また、図２(a1)と図２(a2)に記載している電子アッテネータ部分を可変利得増幅部に置き換えたものを図３(b1)と図２(b2)に示す。図２(b1)と図２(b2)は上述したように図２(a1)と図２(a2)と同じように制御することで利得調整することが可能である。
【実施例３】
【００１１】
ここでは、３つの周波数の信号である周波数F１の信号、周波数F２の信号、周波数F３の信号が入力として高周波入力部へ入ってきた場合の各周波数の設定利得への調整に関して説明を行っていく。
第３の実施例を図３(a)に示す。図３(a)は、高周波入力１、高周波増幅器２A、２B、分配器１１、電子アッテネータ３A、３B、３C、ローパスフィルタ６A、バンドパスフィルタ６B、ハイパスフィルタ６C、合成器１２、高周波出力５、検波器１０、増幅器２C、２D、２E、A/Dコンバータ７A、７B、７C、CPU８、D/Aコンバータ９A、９B、９Cで構成されている。本実施例では、周波数F１の信号、周波数F２の信号、周波数F３の信号の３つの周波数の信号が入力として高周波入力１へ入ってくると、高周波増幅器２Aにより各周波数の信号を増幅する。高周波増幅器２Aにより増幅された信号は、分配器１１を介して各フィルタへ信号が送られ、ローパスフィルタ６A、バンドパスフィルタ６B、ハイパスフィルタ６Cにより各周波数毎に分離される。各フィルタにより分離された各周波数の信号は、各周波数に対応した各電子アッテネータにより設定利得へ調整される。ここで、高周波入力部１へ入ってきた周波数F１の利得をGF１、周波数２の利得をGF２、周波数３の利得をGF３とし、各周波数の各設定利得を周波数F１はG１、周波数F２はG２、周波数F３はG３とする。また、各周波数に対応する電子アッテネータを、周波数F１は電子アッテネータ３A、周波数F２は電子アッテネータ３B、周波数F３は電子アッテネータ３Cとする。
次に、各フィルタにより分離された周波数F１の信号、周波数F２の信号、周波数F３の信号は各周波数の設定利得になるよう各電子アッテネータで調整する。各電子アッテネータで各周波数の設定利得に調整する場合は、各電子アッテネータの電圧を各々制御するD/Aコンバータ９A、９B、９Cで制御することで利得の調整を行う。この各D/AコンバータはCPU８により制御される。
次に、各周波数の信号は各電子アッテネータで利得調整された後に、周波数F１はローパスフィルタ６A、周波数F２はバンドパスフィルタ６B、周波数F３はハイパスフィルタ６Cへ通され、フィルタ通過後に各周波数の信号は合成器１２により合成され、合成器１２で合成された各周波数の信号は、高周波増幅器２Bで増幅され高周波出力部５へ出力される。また、高周波増幅器２Bで増幅された信号は、検波器１０により高周波出力部５へ出力される信号と同じ信号がローパスフィルタ６D、バンドパスフィルタ６E、ハイパスフィルタ６Fへ出力される。ローパスフィルタ６D、バンドパスフィルタ６E、ハイパスフィルタ６Fを通過した信号は、各周波数の信号に分離され、各周波数に対応した増幅器２C、２D、２Eで増幅される。各々増幅器で増幅された各周波数の信号は、各周波数に対応したA/Dコンバータ７A、７B、７Cでデジタル信号に変換されCPU８へ各信号が送られる。CPU８は、入ってきた各周波数のデジタル信号の値を基に各D/Aコンバータ９A、９B、９Cを制御し各電子アッテネータを制御することで各周波数の利得を設定利得へ調整を行う。
図３(b)は図３(a)の各電子アッテネータを、可変利得増幅器に置き換えて実現したものであり、図３(a)と同じ処理を行わせることができる。
上記のような無線機の無線部の構成及び処理の流れとすることで、各周波数毎の利得を一定に保つことができる
【産業上の利用可能性】
【００１２】
本発明は、無線機の無線部に関するもので、特に、幾つかの異なる周波数において、利得調整を行うことにより各周波数毎に正確に利得設定を行うことを可能とする。
【図面の簡単な説明】
【００１３】
【図１（ａ）】本発明の第１の実施例における電子アッテネータを用いた無線部の簡単な構成図
【図１（ｂ）】本発明の第１の実施例における可変利得増幅器を用いた無線部の簡単な構成図
【図２（ａ１）】本発明の第２の実施例における電子アッテネータを用いた無線部の簡単な構成図
【図２（ａ２）】本発明の第２の実施例における電子アッテネータを用いた無線部の簡単な構成図
【図２（ｂ１）】本発明の第２の実施例における可変利得増幅器を用いた無線部の簡単な構成図
【図２（ｂ２）】本発明の第２の実施例における可変利得増幅器を用いた無線部の簡単な構成図
【図３（ａ）】本発明の第３の実施例における電子アッテネータを用いた無線部の簡単な構成図
【図３（ｂ）】本発明の第３の実施例における可変利得増幅器を用いた無線部の簡単な構成図
【図４（ａ）】電子アッテネータを用いた無線部の簡単な構成図
【図４（ｂ）】可変利得増幅器を用いた無線部の簡単な構成図
【符号の説明】
【００１４】
１：高周波入力、２A：高周波増幅器、２B高周波増幅器、３A：電子アッテネータ、３B：電子アッテネータ、３C：電子アッテネータ、４：制御電圧部、５A：フィルタ、５B：フィルタ、５C：フィルタ、６：高周波出力
【図１（ａ）】
2005117300.tif 000003
【図１（ｂ）】
2005117300.tif 000004
【図２（ａ１）】
2005117300.tif 000005
【図２（ａ２）】
2005117300.tif 000006
【図２（ｂ１）】
2005117300.tif 000007
【図２（ｂ２）】
2005117300.tif 000008
【図３（ａ）】
2005117300.tif 000009
【図３（ｂ）】
2005117300.tif 000010
【図４（ａ）】
2005117300.tif 000011
【図４（ｂ）】
2005117300.tif 000012
【手続補正書】
【提出日】平成15年10月16日(2003.10.16)
【手続補正１】
【補正対象書類名】明細書
【補正対象項目名】００１４
【補正方法】変更
【補正の内容】
【００１４】
１：高周波入力、２Ａ：高周波増幅器、２Ｂ：高周波増幅器、３Ａ：電子アッテネータ、３Ｂ：電子アッテネータ、３Ｃ：電子アッテネータ、４Ａ：電圧制御部、４Ｂ：電圧制御加算部、４Ｃ：第１の電圧制御部、４Ｄ：第２の電圧制御部、５：高周波出力、６Ａ：ローパスフィルタ、６Ｂ：バンドパスフィルタ、６Ｃ：ハイパスフィルタ、１１：分配器、１２：合成器
【手続補正２】
【補正対象書類名】図面
【補正対象項目名】図２（ｂ１）
【補正方法】変更
【補正の内容】
【図２（ｂ１）】
2005117300.tif 000013
【手続補正３】
【補正対象書類名】図面
【補正対象項目名】図２（ｂ２）
【補正方法】変更
【補正の内容】
【図２（ｂ２）】
2005117300.tif 000014